(57)【要約】【課題】エレベータ制御盤のバッテリーを、温度センサ、送風ファン等多数の構成要素を必要とせず、簡易な構成で設置することが出来るエレベータ制御盤のバッテリー冷却装置を提供するにある。【解決手段】図１において、乗りかご１で冷房装置２を使用している時に発生するドレン水を一時的にドレン水タンク３に貯蔵する。エレベータ制御盤４は乗りかごを排水できる位置まで移動させる。エレベータ制御盤は収納してある第１ダクト５を排水可能な位置まで稼動させ、排水弁６を開き、ドレン水をドレン水タンクから冷却タンク８に流す。これによりエレベータ制御盤内の冷却タンクの裏側に設置してあるバッテリー９とドレン水との間で熱交換を行うことによりバッテリーを冷却することで、課題を達成することが可能となる。【選択図】図１
2009001386.tif 000002
【特許請求の範囲】
【請求項１】
複数の乗り場間を昇降する乗りかごの昇降動作を制御するエレベータ制御盤の中に設置されたバッテリーを冷却するエレベータ制御盤のバッテリー冷却装置において、
前記乗かごに設置された冷房装置から排出されるドレン水を貯水する乗かごに設置されるドレン水タンクと、前記バッテリーに隣接する制御盤外側に設けた冷却タンクと、前記ドレン水タンクから冷却タンクへドレン水を導水するダクトとを備え、前記ドレン水を前記ドレン水タンクから前記冷却タンクまで前記ダクトを介して流すことにより前記冷却タンクにドレン水を貯め、前記ドレン水と前記バッテリーとの間で熱交換させ、前記バッテリーを冷却することを特徴とするエレベータ制御盤のバッテリー冷却装置。
【請求項２】
前記ドレン水タンクから前記ダクトにドレン水を導水するのに前記ドレン水タンクに排水弁を備え、前記排水弁の開閉によりドレン水を排水するタイミングを制御出来ることを特徴とする請求項１のエレベータ制御盤のバッテリー冷却装置。
【請求項３】
前記ドレン水タンクの満水を検出するセンサを備え、満水時に前記排水弁を開きドレン水をダクトを介して流すことを特徴とする請求項１のエレベータ制御盤のバッテリー冷却装置。
【請求項４】
前記ダクトをかご側に設置した第１ダクトと前記エレベータ制御盤側に設置した第２ダクトの２つで構成し、前記第１ダクトはドレン水を導水する時に、前記第２ダクト側へ稼働しドレン水を導水することが出来ることを特徴とする請求項１のエレベータ制御盤のバッテリー冷却装置。
【請求項５】
前記排水弁を開く時に前記エレベータ制御盤により前記乗りかごをドレン水排水可能な位置まで移動させることを特徴とする請求項１のエレベータ制御盤のバッテリー冷却装置。
【請求項６】
前記エレベータ制御盤にあらかじめ登録しておいた時間帯に前記乗りかごをドレン水排水可能な位置まで移動させることを特徴とする請求項１のエレベータ制御盤のバッテリー冷却装置。
【請求項７】
前記エレベータ制御盤にあらかじめ登録しておいた制御パターンと同様の動きを前記乗りかごが行った時に前記乗りかごをドレン水排水可能な位置まで移動させることを特徴とする請求項１のエレベータ制御盤のバッテリー冷却装置。
【請求項８】
前記冷却タンクに容量以上のドレン水が流入した時は、前記冷却タンクからドレン水があふれる前にドレン水を逃がす第３ダクトにより、ドレン水を逃がすことが出来ることを特徴とする請求項１のエレベータ制御盤のバッテリー冷却装置。
【発明の詳細な説明】
【技術分野】
【０００１】
本発明は、エレベータを制御する制御盤に設置されているバッテリーを冷却するエレベータ制御盤のバッテリー冷却装置に関する。
【背景技術】
【０００２】
この種の従来技術としては、半導体電力変換器の電源に用いられるバッテリーの温度制御装置において、該半導体電力変換器を冷媒の通流により冷却する冷却器と、冷却器からの暖められた冷媒をバッテリーに通流させる冷媒ダクトと、冷媒ダクトに設けられた弁と、バッテリーに外気を送風するファンと、バッテリーの温度を検出するバッテリー温度センサと、冷媒ダクトを通流する冷媒の温度を検出する冷媒温度センサと、外気温度を検出する外気温度センサと、バッテリー温度が低温側の設定値より低くかつ冷媒温度がバッテリー温度より高い場合に弁を開いて冷媒をバッテリーに導くとともに、バッテリー温度が高温側の設定値より高く、かつ外気温度がバッテリー温度より低い場合にファンを駆動させる制御回路を備えているものが知られている（特許文献１参照）。
【特許文献１】特開２００５−２０３２１０
【発明の開示】
【発明が解決しようとする課題】
【０００３】
しかしながら、上記背景技術では、温度センサ、送風ファン等多数の構成要素を必要とするため、エレベータ制御盤に設置されたバッテリーを冷却するには制御が複雑になるという問題点があった。
【０００４】
本発明は、上記不都合を解消する為になされたものであり、温度センサ、送風ファン等多数の構成要素を必要とせず、簡易な構成で設置することが出来る、
さらに、冷房装置から排出されるドレン水を有効に活用し処理出来るエレベータ制御盤のバッテリー冷却装置を提供するにある。
【課題を解決するための手段】
【０００５】
本発明は上記目的を達成する為に、複数の乗り場間を昇降する乗りかごの昇降動作を制御するエレベータ制御盤の中に設置されたバッテリーを冷却するエレベータ制御盤のバッテリー冷却装置において、
前記乗かごに設置された冷房装置から排出されるドレン水を貯水する乗かごに設置されるドレン水タンクと、前記バッテリーに隣接する制御盤外側に設けた冷却タンクと、前記ドレン水タンクから冷却タンクへドレン水を導水するダクトとを備え、前記ドレン水を前記ドレン水タンクから前記冷却タンクまで前記ダクトを介して流すことにより前記冷却タンクにドレン水を貯め、前記ドレン水と前記バッテリーとの間で熱交換させ、前記バッテリーを冷却することを特徴とするエレベータ制御盤のバッテリー冷却装置を設けたことを特徴とする。
【０００６】
本発明によれば、温度センサ、送風ファン等多数の構成要素を必要とせず、簡易な構成で設置することが出来る、エレベータ制御盤のバッテリー冷却装置を提供することが出来る。
【０００７】
さらに、冷房装置から排出されるドレン水を有効に活用し処理出来る。
【発明の効果】
【０００８】
本発明のエレベータ制御盤のバッテリー冷却装置は、温度センサ、送風ファン等多数の構成要素を必要とせず、簡易な構成で設置することが出来る、エレベータ制御盤のバッテリー冷却装置を提供することが出来るという効果がある。
【０００９】
さらに、冷房装置から排出されるドレン水を有効に活用し処理出来るという効果がある。
【発明を実施するための最良の形態】
【００１０】
以下、本発明の一実施の形態を図１、２、３、４に基づいて説明する。
【００１１】
図１は本発明であるエレベータ制御盤のバッテリー冷却装置の構成説明図である。図２は本発明であるエレベータ制御盤のバッテリー冷却装置を昇降路壁面側からエレベータ制御盤を見た時の構成説明図である。図３は本発明であるエレベータ制御盤のバッテリー冷却装置の冷却方法についてのフローチャート図である。図４は本発明であるエレベータ制御盤のバッテリー冷却装置の制御手段を示すブロック図である。
【００１２】
図１において、乗りかご１で冷房装置２を使用している時に発生するドレン水を一時的にドレン水タンク３に貯蔵する。ドレン水タンク３ドレン水により満水になるとセンサで検出し、検出信号をエレベータ制御盤４へ送りエレベータ制御盤４は乗りかごをドレン水タンク３から冷却タンク８へドレン水が排水出来る位置まで移動させ停止させる。または、ドレン水タンク３がドレン水により満水になる前でも、エレベータ制御盤にあらかじめ登録しておいた時間帯に乗りかごをドレン水タンクから冷却タンクヘドレン水が排水出来る位置まで移動させ停止させる。または、ドレン水タンクがドレン水により満水になる前でも、エレベータ制御盤にあらかじめ登録しておいた制御パターンと同様の動きを乗りかごが行った時に乗りかごをドレン水タンクから冷却タンクへドレン水が排水出来る位置まで移動させ停止させる。エレベータ制御盤は収納してある第１ダクト５を排水可能な位置まで矢印Ａの方向に稼動させ、排水弁６を開き、排水をドレン水タンクから第１ダクト、第２ダクト７を通り冷却タンクに導水する。これによりエレベータ制御盤内のドレン水タンクの裏側に設置してあるバッテリー９とドレン水との間で熱交換を行い、バッテリーを冷却する。
【００１３】
またこの時、冷却タンクのドレン水は自然蒸発していくが、冷房装置から発生するドレン水が多く冷却タンクの容量を超える場合は、冷却タンクに接続してある第３ダクト１０よりドレン水を逃がし、矢印Ｂの先にある排水口等の適切な場所にドレン水を流す。
【００１４】
ここでエレベータ制御盤のバッテリー冷却装置の冷却方法について、図３のフローチャート図を用いて説明する。
【００１５】
エレベータ乗りかご１で冷房装置２を使用する（Ｓｌ）。この時に、冷房装置の使用でドレン水タンク３がドレン水により満水になっているかをセンサで検出する（Ｓ２）。ドレン水が満水であれば、乗りかごをドレン水タンクから冷却タンク８へドレン水を排水できる位置までエレベータ制御盤４により移動させる（Ｓ５）。ドレン水が満水でない時に、エレベータ制御盤にあらかじめ登録しておいた時間帯であるかを判断する（Ｓ３）。あらかじめ登録しておいた時間帯の時、乗りかごをドレン水タンクから冷却タンク８へドレン水を排水できる位置までエレベータ制御盤４により移動させる（Ｓ５）。この時、エレベータの稼働頻度が少ない時間帯を登録しておけば、エレベータの乗りかごに乗降する人に迷惑をかけずにドレン水タンクが満水になる前にドレン水を排水でき、さらに冷却能力を確保出来る。あらかじめ登録しておいた時間帯でない時に、エレベータ制御盤にあらかじめ登録しておいた制御パターンと同様の動きを乗りかごが行っているかを判断する（Ｓ４）。
【００１６】
あらかじめ登録しておいた制御パターンと同様の動きを乗りかごが行った時、乗りかごをドレン水タンクから冷却タンク８ヘドレン水を排水できる位置までエレベータ制御盤４により移動させる（Ｓ５）。この時、エレベータが一定時間稼働しない制御パターンを登録しておけば、エレベータの乗りかごに乗降する人に迷惑をかけずにドレン水タンクが満水になる前にドレン水を排水でき、さらに冷却能力を確保出来る。（Ｓ２）（Ｓ３）（Ｓ４）のどれにも当てはまらないときは（Ｓｌ）に戻る。ドレン水タンクから冷却タンクまでドレン水を流すため第１ダクト５を稼動させ第２ダクト７と接続する（Ｓ６）。排水弁６を開き、ドレン水タンクから冷却タンクまでドレン水を流す（Ｓ７）。これにより冷却タンクに流し入れたドレン水とバッテリー９とで熱交換を行い、バッテリーを冷却することが出来る。またこの時、流し入れたドレン水が多く冷却タンクの容量より多い場合は、第３ダクト１０よりドレン水を排水口等へ流す。
【００１７】
本発明によれば、エレベータ制御盤のバッテリー冷却装置は、温度センサ、送風ファン等多数の構成要素を必要とせず、簡易な構成で設置することが出来る、エレベータ制御盤のバッテリー冷却装置を提供することが出来る。
【００１８】
さらに、冷房装置から排出されるドレン水を有効に活用し処理出来る。
【図面の簡単な説明】
【００１９】
【図１】本発明であるエレベータ制御盤のバッテリー冷却装置の構成説明図。
【図２】本発明であるエレベータ制御盤のバッテリー冷却装置を昇降路壁面側からエレベータ制御盤を見た時の構成説明図。
【図３】本発明であるエレベータ制御盤のバッテリー冷却装置の冷却方法についてのフローチャート図。
【図４】本発明であるエレベータ制御盤のバッテリー冷却装置の制御手段を示すブロック図。
【符号の説明】
【００２０】
１  乗りかご
２  冷房装置
３  ドレン水タンク
４  エレベータ制御盤
５  第１ダクト
６  排水弁
７  第２ダクト
８  冷却タンク
９  バッテリー
１０  第３ダクト
２１  昇降路
２２  ロープ
【図１】
2009001386.tif 000003
【図２】
2009001386.tif 000004
【図３】
2009001386.tif 000005
【図４】
2009001386.tif 000006